(57)【要約】【課題】排紙トレイの用紙の先端を揃えるストッパの回転軸を隠し、さらには装置本体をコンパクト化する画像形成装置の排紙トレイ構造を提供すること。【解決手段】プリンタには、搬送路の排紙口から印刷媒体の排出方向へ延在する排紙トレイ４が設けられている。排紙トレイ４の排出方向側端部に、用紙のストッパ部材３５を設け、ストッパ部材３５は、用紙の先端位置を規制するストッパ板３６と、ストッパ板３６を起立姿勢及び傾倒姿勢に回転可能に支持する回転軸３７と、ストッパ板３６と回転軸３７を連結する連結部３８とを備えている。排紙トレイ４には排紙トレイ４を貫通する開口４５を形成し、回転軸３７は排紙トレイ４の裏面側に配置され、ストッパ板３６は排紙トレイ４の表面側に配置され、連結部３８を開口４５に通してストッパ板３６を排紙トレイ４面上に配置するようにした。【選択図】図８
2009173426.tif 000002
【特許請求の範囲】
【請求項１】
装置本体の搬送路の排紙口から印刷媒体の排出方向へ延在するトレイが設けられている画像形成装置の排紙トレイ構造において、
前記トレイの前記排出方向側端部に、前記印刷媒体のストッパ部材を設け、該ストッパ部材は、前記印刷媒体の先端位置を規制するストッパ板と、該ストッパ板を起立姿勢及び傾倒姿勢に回転可能に支持する回転軸と、前記ストッパ板と該回転軸を連結する連結部材とを備え、前記ストッパ板の起立姿勢時において、前記連結部材の他端部が前記回転軸よりも前記進行方向の前側に位置するように延在させ、前記ストッパ板を前記回転軸よりも該前側に配置するように形成したことを特徴とする画像形成装置の排紙トレイ構造。
【請求項２】
前記回転軸は、前記開口の前記排出方向側縁部から間隔を空けて前記トレイの裏面に形成し、前記連結部材には前記ストッパ板の起立姿勢時に、前記間隔を空けた部位に当接して前記ストッパ板の所定角度以上の回転が規制される規制部を形成したことを特徴とする請求項１に記載の画像形成装置の排紙トレイ構造。
【請求項３】
前記連結部材には、前記ストッパ板の起立姿勢時に前記開口の前記排出方向反対側の縁部と接触して該縁部を乗り越える傾倒抑止部を形成し、前記ストッパ板の前記傾倒姿勢側への回転を抑止するようにしたことを特徴とする請求項１又は２に記載の画像形成装置の排紙トレイ構造。
【請求項４】
前記連結部材の断面がＶ字形状若しくはほぼＶ字形状であって、該Ｖ字形状の一端部に前記回転軸が形成され、他端部に前記ストッパ板が連結され、前記Ｖ字形状の一端側内面に前記規制部が形成され、前記Ｖ字形状の底部に前記傾倒抑止部を形成するようにしたことを特徴とする請求項３に記載の画像形成装置の排紙トレイ構造。
【請求項５】
前記トレイには該トレイを貫通する開口を形成し、前記回転軸は前記トレイの裏面側に配置され、前記ストッパ板は前記トレイの表面側に配置され、前記連結部材を前記開口に通して前記ストッパ板を前記トレイ面上に配置するようにしたことを特徴とする請求項１〜４に記載の画像形成装置の排紙トレイ構造。
【発明の詳細な説明】
【技術分野】
【０００１】
本発明は、装置本体の搬送路の排紙口から印刷媒体の排出方向へ延在するトレイが設けられている画像形成装置の排紙トレイ構造に関する。
【背景技術】
【０００２】
従来より、印刷機、ＦＡＸ、複写機及びこれらの複合機などの画像形成装置の印刷部で印刷された用紙を堆積させてストックする排紙トレイには、用紙先端を揃えるための用紙ストッパが取付けられているものがある。
このような排紙トレイには、排紙トレイ（外装カバー）部の内部に収納空間を設け、該収納空間から引き出し、収納が可能な延長トレイを設けるとともに、該延長トレイの先端部に回転可能にストッパ（エンドフェンス）を設けている。このような構成により、装置本体の非稼働時にはストッパを傾倒させた状態で延長トレイを収納空間に収納し、稼働時の用紙の排紙時において、収納空間から延長トレイを引き出し、ストッパを起立させた状態に維持し、排紙された用紙の先端を揃えて用紙を束ねることができるものがある。
下記の特許文献１には、このような引き出し、収納が可能な延長トレイと回転軸に回転可能に支持されるストッパが開示されている。
【特許文献１】特開２００３−１１２８４７号公報
【発明の開示】
【発明が解決しようとする課題】
【０００３】
特許文献１では、装置本体の大きさ（長さ）が大きくならないように、上述の延長トレイを収納可能に設けているが、使用時に延長トレイを収納空間から引き出し、ストッパを起こす２段階操作となって、手間がかかってしまい、装置をコンパクト化するのに延長トレイを必要とし部品点数が多くなってしまう。
また、排紙トレイに回動可能にストッパを支持させた場合、ストッパを支持する回転軸が外側に露出してしまう。回転軸が外部から見えるとスマートさに欠けて、見栄え上は好ましいものではない。特許文献１では、ストッパをトレイの内部に出し入れ可能な板材を設け、装置本体の非稼働時には、トレイ内に板材を収容することによって、ストッパ自体を隠すようにしている。
しかしながら、非稼働時ではストッパを使用する際に回転軸を隠せるが、稼働時では回転軸を隠せるものではない。
【０００４】
本発明は、このような事情に鑑みてなされたもので、トレイに十分な長さがありながら装置本体のコンパクト化を図るとともに装置本体の稼働時及び非稼働時にかかわらず、常に排紙トレイの用紙の先端を揃えるストッパの回転軸を隠すことができる画像形成装置の排紙トレイ構造を提供することを目的とする。
【課題を解決するための手段】
【０００５】
本発明の画像形成装置の排紙トレイ構造は、上記課題を解決するために、装置本体の搬送路の排紙口から印刷媒体の排出方向へ延在するトレイが設けられている画像形成装置の排紙トレイ構造において、前記トレイの前記排出方向側端部に、前記印刷媒体のストッパ部材を設け、該ストッパ部材は、前記印刷媒体の先端位置を規制するストッパ板と、該ストッパ板を起立姿勢及び傾倒姿勢に回転可能に支持する回転軸と、前記ストッパ板と該回転軸を連結する連結部材とを備え、前記ストッパ板の起立姿勢時において、前記連結部材の他端部が前記回転軸よりも前記進行方向の前側に位置するように延在させ、前記ストッパ板を前記回転軸よりも該前側に配置するように形成した。
上記排紙トレイ構造の前記回転軸は、前記開口の前記排出方向側縁部から間隔を空けて前記トレイの裏面に形成し、前記連結部材には前記ストッパ板の起立姿勢時に、前記間隔を空けた部位に当接して前記ストッパ板の所定角度以上の回転が規制される規制部を形成した。
上記排紙トレイ構造の前記連結部材には、前記ストッパ板の起立姿勢時に前記開口の前記排出方向反対側の縁部と接触して該縁部を乗り越える傾倒抑止部を形成し、前記ストッパ板の前記傾倒姿勢側への回転を抑止するようにした。
上記排紙トレイ構造は、前記連結部材の断面がＶ字形状若しくはほぼＶ字形状であって、該Ｖ字形状の一端部に前記回転軸が形成され、他端部に前記ストッパ板が連結され、前記Ｖ字形状の一端側内面に前記規制部が形成され、前記Ｖ字形状の底部に前記傾倒抑止部を形成することができる。
上記排紙トレイ構造は、前記トレイには該トレイを貫通する開口を形成し、前記回転軸は前記トレイの裏面側に配置され、前記ストッパ板は前記トレイの表面側に配置され、前記連結部材を前記開口に通して前記ストッパ板を前記トレイ面上に配置することができる。
【発明の効果】
【０００６】
本発明の画像形成装置の排紙トレイ構造は、装置本体の搬送路の排紙口から印刷媒体の排出方向へ延在するトレイが設けられている画像形成装置の排紙トレイ構造において、前記トレイの前記排出方向側端部に、前記印刷媒体のストッパ部材を設け、該ストッパ部材は、前記印刷媒体の先端位置を規制するストッパ板と、該ストッパ板を起立姿勢及び傾倒姿勢に回転可能に支持する回転軸と、前記ストッパ板と該回転軸を連結する連結部材とを備え、前記ストッパ板の起立姿勢時において、前記連結部材の他端部が前記回転軸よりも前記進行方向の前側に位置するように延在させ、前記ストッパ板を前記回転軸よりも該前側に配置するように形成したので、画像形成装置の装置本体の大きさを小さく形成することできる。
上記排紙トレイ構造は、前記回転軸は、前記開口の前記排出方向側縁部から間隔を空けて前記トレイの裏面に形成し、前記連結部材には前記ストッパ板の起立姿勢時に、前記間隔を空けた部位に当接して前記ストッパ板の所定角度以上の回転が規制される規制部を形成したので、ストッパ板の一定角度以上の回転を規制することができる。
上記排紙トレイ構造の前記連結部材には、前記ストッパ板の起立姿勢時に前記開口の前記排出方向反対側の縁部と接触して該縁部を乗り越える傾倒抑止部を形成し、前記ストッパ板の前記傾倒姿勢側への回転を抑止するようにしたので、ストッパ板の傾倒を防止することができる。
上記排紙トレイ構造は、前記トレイには該トレイを貫通する開口を形成し、前記回転軸は前記トレイの裏面側に配置され、前記ストッパ板は前記トレイの表面側に配置され、前記連結部材を前記開口に通して前記ストッパ板を前記トレイ面上に配置することができるので、ストッパ板の回転軸を外部から隠すことができるようになった。
【発明を実施するための最良の形態】
【０００７】
以下、本発明の実施形態による画像形成装置の排紙トレイ構造について、図面を参照しながら説明する。なお、図１に示すプリンタ１の矢印Ｆに示す方向をプリンタ１の前方とし、矢印Ｆと交差する方向をプリンタ１の幅方向とする。
図１は、本発明による画像形成装置の斜視図であり、図２はその断面図である。これらの図を参照して、両面画像形成装置であるレーザプリンタ１（以下、単に「プリンタ１」と略称する）は、ほぼ直方体形状の装置本体であるプリンタ本体２を備えている。プリンタ本体２の上面には排紙トレイ４が形成されている。排紙トレイ４は、排紙トレイ４は、前方側が高く位置するように緩く傾斜した傾斜面とこの傾斜面に続く平面とによって構成されていて、後述するように画像形成後にシート排出口５から前方に向けて排出されたシートを下方から支持するようになっている。プリンタ本体２の、図１において右側面には、手差し用給紙トレイ蓋６が、図示はされていないが右側面に沿って折り畳み可能に設けられている。
【０００８】
プリンタ本体２内のほぼ中央領域には像担持体である感光体ドラム７が図２において時計方向に回転駆動されるよう配設されている。感光体ドラム７の周囲には、主帯電ローラ８、現像装置の現像スリーブ９、転写ローラ１０、クリーニングローラ１１及びクリーニングブレード１２、図示しない除電器などが備えられている。プリンタ本体２内の上部位置には、入力された画像情報をレーザ光に変換し、感光体ドラム７の表面に照射するレーザスキャニングユニットＬＳＵが配設されている。
感光体ドラム７の感光体としては、ａ−Ｓｉ系又はＯＰＣ等が使用される。図示しない帯電バイアス電源装置により主帯電ローラ８に帯電バイアスが印加されると、感光体ドラム７の表面が一様に帯電させられる。実施形態においては正極性の帯電バイアスが印加され、感光体ドラム７の表面は一様に正帯電させられる。
【０００９】
現像装置は、図示しない現像ハウジング内に配設された現像スリーブ９及び図示しないトナー撹拌機構、現像ハウジング内にトナーを補給する図示しないトナーコンテナを備えている。現像バイアス電源装置により、現像スリーブ９に現像バイアスが印加されると、レーザスキャニングユニットＬＳＵによって露光されることにより感光体ドラム７の表面に形成された静電潜像が現像される。実施形態においては、帯電バイアスの極性と同じ正極性の現像バイアスが印加され、磁性を有する一成分現像剤であるトナーが、感光体ドラム７の表面に形成された静電潜像に対し反転現像させられるよう構成されている。
【００１０】
プリンタ本体２内における上下方向のほぼ中央部には用紙を搬送するための搬送路１５が配設され、下端部には給紙カセット１６が装着されている。搬送路１５は、感光体ドラム７と転写ローラ１０との間を通ってそれらの接線方向にほぼ水平に延在している。搬送路１５の上流端領域は、下方に反転して上記給紙カセット１６に接続されている。搬送路１５における、感光体ドラム７の上流側には、分離ローラ対１８、搬送ローラ対１９及びレジストローラ対２０が搬送路１５に沿ってかつ、上流から下流に向ってその順に配設されている。搬送路１５の、レジストローラ対２０の上流側には、搬送される用紙Ｐを検知することができる用紙検知センサＳが配設されている。
給紙カセット１６内には、一端が軸２１まわりに回動自在に支持された用紙載置板である底板２２、底板２２の他端を上方に押し上げる圧縮コイルばね２２ａなどが配設されている。底板２２上に積層・収容された用紙Ｐの先端部における上面は、プリンタ本体２内に配設されたピックアップローラ２３に圧接される。
【００１１】
搬送路１５における感光体ドラム７の下流側には、定着装置２４が配設されている。定着装置２４は、熱ローラ２５と、熱ローラ２５に下方から圧接された圧ローラ２６とを備えている。搬送路１５における定着装置２４の下流側には、搬送ローラ対２７が配設されている。搬送ローラ対２７は、駆動ローラ３０と、駆動ローラ３０に圧接された従動ローラ３１とを備えている。搬送ローラ対２７の下流側には排出搬送路２９が配設されている。排出搬送路２９は、プリンタ本体２の、図１において左側面における内側に沿って上方に延在し、上端部においてプリンタ本体２の内側にカーブして上記排出口５に接続されている。排出搬送路２９の、上下方向におけるほぼ中央位置には、搬送ローラ対３２が配設され、上端（下流端）には排出ローラ対３３が配設されている。搬送ローラ対３２及び排出ローラ対３３は、それぞれ、駆動ローラと、駆動ローラに圧接された従動ローラとを備えている。
排紙トレイ４は、排紙トレイ４の前方側にほぼ矩形のトレイ蓋４０が設けられている。開放可能に形成されている。合成樹脂製のトレイ蓋４０は、プリンタ本体２のケーシングに、図３に示すように、回転可能に取付けられている。
【００１２】
図４及び図５に示すように、トレイ蓋４０は、該トレイ蓋４０の後方側の左右両端部に一対のアーム４１，４２を形成し、アーム４１，４２は基端側が円弧形状に湾曲し、先端側が円弧の半径方向内側へ屈曲するようにして直線状に延びている。アーム４１，４２の先端部には、トレイ蓋４０を回転可能にする軸４１ａ，４２ａが形成されている。これらの軸４１ａ，４２ａはケーシング２の図示しない軸受けに支持されてトレイ蓋４０を回転可能にしている（図３参照）。
【００１３】
トレイ蓋４０の先端側には、ストッパ収容部４３が設けられている。ストッパ収容部４３には、三角形状に上方に突出する左右側壁４４，４４が前後方向に間隔を空けて配設されている。そして、ストッパ収容部４３の前部には、トレイ蓋４０を貫通する開口４５（図４）を形成している。
トレイ蓋４０の裏面側の先端部には、フロントカバー４７（図５）が配設されている。フロントカバー４７は、トレイ蓋４０が閉鎖した状態では下方に延在する。このフロントカバー４７は、手差し用給紙トレイ蓋６が開放されたときに、内部のプリンタ１の構造体が外側に露出しないようする役割などを果たす。トレイ蓋４０のストッパ収容部４３には、ストッパ部材３５が配設され、ストッパ部材３５のストッパ板３６は、トレイ蓋４０に対して上下方向へ回転可能に配設されている。
【００１４】
図６に示すように、樹脂製のストッパ部材３５は、ストッパ板３６、回転軸３７及び連結部３８が一体成形によって構成されている。ストッパ板３６はほぼ四角形状の平板で形成され、回転軸３７はプリンタ１の幅方向に軸が延びる支軸３７ａを形成している。ストッパ板３６と回転軸３７との間には断面がほぼＶ字形状の連結部３８が設けられている。
フロントカバー４７の上端面４７ａにおける左右中間部には、湾曲断面空間を有する収容室４９がプリンタ１の幅方向へ形成され、収容室４９には連結部３８が収容できるように形成されている。
【００１５】
収容室４９の上端両側部には一対の軸受け５０が形成されている。この軸受け５０は、収容室４９の上両側部をプリンタ１の幅方向外側にＵ字形状に切り欠き、ストッパ部材３５の支軸３７ａを支持するように形成されている。図７及び図８に示すように、支軸３７ａはトレイ蓋４０にフロントカバー４７の上端面４７ａが被せられる（取付けられる）ことによって、抜け止めがなされる。このように支軸３７ａが軸受け５０に軸支されることによって、ストッパ板３６が、図７の傾倒姿勢から図８の起立姿勢へ回転できるようになる。
【００１６】
ほぼＶ字形状の連結部３８は、一端側の内面に規制部３８ａが形成されている。規制部３８ａは、図８に示すように、開口４５の前端縁部の裏面に当接することによって、前方側への回転角度が規制される。また、連結部３８のＶ字形状の底部に位置する部分に傾倒抑止部３８ｂを形成している。傾倒抑止部３８ｂは、ストッパ板３６が起立姿勢になる直前に、開口４５の後端縁部４５ａに接触して該後端縁部４５ａを載り越えることができる。したがって、外力を負荷しない限りは、ストッパ板３６が後方へ傾倒することがない。収容室４９は連結部３８の傾倒抑止部３８ｂを先端とした回転半径よりも広いスペースを形成している。図８に示すように、ストッパ板３６が起立姿勢にあるとき、ストッパ板３６の位置を回転軸３７がある位置よりも前端側に位置するように、連結部３８の他端側３８ｃを前方に延びるように形成している。
【００１７】
プリンタ１の排紙口５からストッパ板３６の起立姿勢における長さは、本実施形態では、プリンタ１が印刷できる用紙の最大サイズ、例えばＡ４サイズである場合では、Ａ４サイズの用紙が載置できる最小長さとなるように形成している。換言すれば、排紙口５から排出されるＡ４サイズの用紙を束ねることのできる最小長さに形成する。
ストッパ収容部４３には、側壁４４，４４の間に平坦部４３ａを形成し、平坦部４３ａの後側には平坦部４３ａに隣接させて、下方に窪む湾曲凹部４３ｂを形成している。ストッパ板３６は傾倒姿勢時にその先端部３６ａが湾曲凹部４３ｂの前後方向の中間位置にくるように形成されている。
ストッパ部材３５とトレイ蓋４０とフロントカバー４７を組み付けるときは、図４の矢印ａに示すように、先にストッパ部材３５のストッパ板３６を開口４５に差し込んで、トレイ蓋４０にストッパ部材３５を組み付けてから、ストッパ部材３５の支軸３７ａが、フロントカバー４７の軸受け５０に軸支させる。その後、トレイ蓋４０にフロントカバー４７を軸支させる。
【００１８】
図７及び図８を参照にして、プリンタ１において、プリント動作を行うときに、ストッパ板３６が傾倒姿勢になっているときには、ストッパ板３６を起立姿勢にする。この際、ストッパ板３６の先端部３６ａの湾曲凹部４３ｂの上方位置にあるので（図７参照）使用者はストッパ板３６の先端部３６ａの下に指を差し込んで、容易にストッパ板３６を起こすことができる。この際、ストッパ板３６が起立姿勢になる直前に、連結部３８の傾倒抑止部３８ｂが開口４５の後端縁部４５ａに接触して該後端縁部４５ａを載り越えることができる。また、乗り越えるとほぼ同時に連結部３８の規制部３８ａが図８に示すように、開口４５の前端縁部の裏面に当接し、ストッパ板３６の前方への回転が規制される。
なお、このストッパ板３６の前方への一定以上の回転を阻止するため、ストッパ板の回転軸をトレイの表面に配設した場合は、ストッパ板若しくはトレイ面に回転阻止のための規制部を形成しなければならないが、本実施形態ではこの規制部３８ａについても、プリンタ本体２の内部に配設し、外部から見えないように形成している。
【００１９】
上記プリンタ１において、プリンタ１にプリント信号が送信されると、帯電ローラ８により一様に帯電された感光体ドラム７の表面がレーザスキャニングユニットＬＳＵにより露光されることにより静電潜像が形成され、この静電潜像は現像装置により現像されてトナー像となる。このトナー像は、転写ローラ１０によって、給紙カセット１６から所定のタイミングで搬送された用紙Ｐの片面に転写される。トナー像が転写された用紙Ｐは、搬送路１５にガイドされて定着装置２４に搬送され、定着装置２４を通過する間に熱定着される。トナー像が定着された用紙Ｐは、搬送ローラ対２７、搬送ローラ対３２及び排出ローラ対３３により、排出搬送路２９を通って排出口５から排紙トレイ４にフェイスダウンの状態で、１枚若しくは連続的に２枚以上が排出される。
【００２０】
排紙口５から連続的に排紙された用紙Ｐは、用紙Ｐの後端が排紙口５から排出された後に、用紙Ｐの先端がストッパ板３６の後面に当接して、それ以上の前方への移動が規制される。用紙Ｐが連続的に排紙されている場合は、各々の用紙Ｐがストッパ板３６に進行が規制されて、排紙トレイ４に用紙Ｐの先端が揃えられた状態で用紙Ｐが束ねられる。
なお、用紙Ｐを排出するときに、ストッパ板３６を傾倒姿勢のまま排紙することも勿論可能である。このような場合は、ストッパ板３６が傾倒した状態で、ストッパ板３６の幅方向両側に側壁４４，４４が形成され。側壁４４，４４の高さがストッパ板３６の高さよりも高い位置に形成し、かつ各側壁４４，４４の後部には、プリンタ１の後部下側に向かう傾斜部４４ａ，４４ａが形成されているので、用紙Ｐとストッパ板３６とが干渉することがなく、円滑に用紙Ｐを排紙することができる。この傾斜部４４ａ，４４ａは、排出された用紙Ｐが、必要以上に前方へ押し出されない役割も果たす。
【００２１】
連結部３８の他端部３８ｃは、ストッパ板３６が起立した状態で、回転軸３７よりも前方側に位置するようにしている。また、排紙口５からストッパ板３６までの長さは、最大印刷サイズ（本実施形態ではＡ４サイズ）が排出するための最小長さにしているので、プリンタ１のケーシング２の前後方向の長さを小さくすることができる。
そして、ストッパ部材３５の回転軸３７を収容室４９の内部に配置し、また、開口４５の縁部よりも離した位置に配設するようにしたので、回転軸３７が外部から見えることがない。したがって、意匠的にも外観の良いプリンタ１となる。
【００２２】
以上、本発明を実施形態に基づいて添付図面を参照しながら詳細に説明したが、本発明は上記実施形態に限定されるものではなく、本発明の範囲を逸脱することなく、更に他の種々の変形あるいは修正が可能である。
例えば、上記実施形態ではプリンタ１を例にしてあげたが、コピー、ＦＡＸ及びこれらの複合機などの画像形成装置にも本発明は適用が可能である。
また、上記実施形態では、ストッパ部材３５が配設されているトレイ蓋４０を回転可能にして開閉可能に形成したが、トレイ蓋４０に代えて回転機能がなく固定された状態でトレイ部に取付けられたものであってもよい。
【図面の簡単な説明】
【００２３】
【図１】本発明の実施の形態による画像形成装置の排紙トレイ構造を採用しているプリンタの斜視図である。
【図２】図１の画像形成装置を前後方向に切断した断面図である。
【図３】図１の画像形成装置のトレイ蓋を開放した状態の断面図である。
【図４】図３の画像形成装置のトレイ蓋の斜視図である。
【図５】図３の画像形成装置のトレイ蓋を他の方向から見た斜視図である。
【図６】図１の画像形成装置のフロントカバーとストッパ部材の分解斜視図である。
【図７】図１の画像形成装置のストッパ部材のストッパ板が傾倒姿勢にある状態の拡大断面図である。
【図８】図１の画像形成装置のストッパ部材のストッパ板が起立姿勢にある状態の拡大断面図である。
【符号の説明】
【００２４】
１  プリンタ
２  ケーシング
４  排紙トレイ
５  排紙口
３５  ストッパ部材
３６  ストッパ板
３７  回転軸
３７ａ  支持軸
３８  連結部
３８ａ  規制部
３８ｂ  傾倒抑止部
４０  トレイ蓋
４３  ストッパ収容部
４５  開口
４９  収容室
５０  軸受け
【図１】
2009173426.tif 000003
【図２】
2009173426.tif 000004
【図３】
2009173426.tif 000005
【図４】
2009173426.tif 000006
【図５】
2009173426.tif 000007
【図６】
2009173426.tif 000008
【図７】
2009173426.tif 000009
【図８】
2009173426.tif 000010